(57)【要約】【課題】演算処理量の増大を抑制し、歪補償性能の劣化を抑える。【解決手段】歪補償装置は、第１歪補償部により、送信信号をアナログ信号に変換するための第１サンプリングレートよりも高い第２サンプリングレートで、増幅器からのＦＢ信号に基づいて、送信信号にＰＤ処理を施して第１ＰＤ信号を生成する。歪補償装置は、第１ＰＤ信号から、第１サンプリングレートに応じた周波数帯域を超える周波数成分を抽出して周波数成分信号を生成する。歪補償装置は、送信信号と周波数成分信号の逆位相信号を合成して入力信号として、後段の歪補償部である第２歪補償部に出力する。【選択図】図１
2019029792.tif 000002
【特許請求の範囲】
【請求項１】
信号を増幅して出力する増幅器と、
送信信号をアナログ信号に変換するための第１サンプリングレートよりも高い第２サンプリングレートで、前記増幅器からのフィードバック信号に基づいて、前記送信信号にプリディストーション処理を施して第１プリディストーション信号を生成する第１歪補償部と、
前記第１プリディストーション信号から、前記第１サンプリングレートに応じた周波数帯域を超える周波数成分を抽出して周波数成分信号を生成する抽出部と、
前記送信信号と前記周波数成分信号の逆位相信号を合成して前記入力信号として出力する入力信号出力部と、
前記第２サンプリングレートで前記入力信号にプリディストーション処理を施して第２プリディストーション信号を生成する第２歪補償部と、
前記第２プリディストーション信号から、前記第１サンプリングレートに応じた周波数帯域を超える周波数成分を除去する除去部と、
前記周波数成分が除去された前記第２プリディストーション信号のサンプリングレートを前記第２サンプリングレートから前記第１サンプリングレートへ変換する第１レート変換部と
を有することを特徴とする歪補償装置。
【請求項２】
サンプリングレートが変換された前記第２プリディストーション信号を前記第１サンプリングレートでアナログ信号に変換し、前記増幅器に出力する第１信号変換部と、
前記第１サンプリングレートで前記増幅器からの出力信号をディジタル信号に変換する第２信号変換部と、
前記ディジタル信号に変換された出力信号と、サンプリングレートが前記第１サンプリングレートに変換された前記第２プリディストーション信号との差分を示す誤差信号を生成する誤差信号生成部と、
前記誤差信号に基づいて歪補償係数を生成する係数生成部と
を更に有し、
前記第１、第２歪補償部は、それぞれ、前記歪補償係数を用いて、前記送信信号、前記入力信号にプリディストーション処理を施して前記第１、第２プリディストーション信号を生成する、
ことを特徴とする請求項１に記載の歪補償装置。
【請求項３】
サンプリングレートが変換された前記第２プリディストーション信号を前記第１サンプリングレートでアナログ信号に変換し、前記増幅器に出力する第１信号変換部と、
前記第１サンプリングレートで前記増幅器からの出力信号をディジタル信号に変換する第２信号変換部と、
前記入力信号のサンプリングレートを前記第２サンプリングレートから前記第１サンプリングレートへ変換する第２レート変換部と、
前記ディジタル信号に変換された出力信号と、サンプリングレートが前記第１サンプリングレートに変換された前記入力信号との差分を示す誤差信号を生成する誤差信号生成部と、
前記誤差信号に基づいて歪補償係数を生成する係数生成部と
を更に有し、
前記第１、第２歪補償部は、それぞれ、前記歪補償係数を用いて、前記送信信号、前記入力信号にプリディストーション処理を施して前記第１、第２プリディストーション信号を生成する、
ことを特徴とする請求項１に記載の歪補償装置。
【請求項４】
歪補償装置と、
送信信号を生成して前記歪補償装置に出力する送信信号生成部と、
前記歪補償装置の出力を出力信号として送信する送信部と、
を有し、
前記歪補償装置は、
信号を増幅して出力する増幅器と、
前記送信信号をアナログ信号に変換するための第１サンプリングレートよりも高い第２サンプリングレートで、前記増幅器からのフィードバック信号に基づいて、前記送信信号にプリディストーション処理を施して第１プリディストーション信号を生成する第１歪補償部と、
前記第１プリディストーション信号から、前記第１サンプリングレートに応じた周波数帯域を超える周波数成分を抽出して周波数成分信号を生成する抽出部と、
前記送信信号と前記周波数成分信号の逆位相信号を合成して前記入力信号として出力する入力信号出力部と、
前記第２サンプリングレートで前記入力信号にプリディストーション処理を施して第２プリディストーション信号を生成する第２歪補償部と、
前記第２プリディストーション信号から、前記第１サンプリングレートに応じた周波数帯域を超える周波数成分を除去する除去部と、
前記周波数成分が除去された前記第２プリディストーション信号のサンプリングレートを前記第２サンプリングレートから前記第１サンプリングレートへ変換する第１レート変換部と
を有することを特徴とする送信機。
【請求項５】
送信信号をアナログ信号に変換するための第１サンプリングレートよりも高い第２サンプリングレートで、信号を増幅して出力する増幅器からのフィードバック信号に基づいて、前記送信信号にプリディストーション処理を施して第１プリディストーション信号を生成し、
前記第１プリディストーション信号から、前記第１サンプリングレートに応じた周波数帯域を超える周波数成分を抽出して周波数成分信号を生成し、
前記送信信号と前記周波数成分信号の逆位相信号を合成して前記入力信号として出力し、
前記第２サンプリングレートで前記入力信号にプリディストーション処理を施して第２プリディストーション信号を生成し、
前記第２プリディストーション信号から、前記第１サンプリングレートに応じた周波数帯域を超える周波数成分を除去し、
前記周波数成分が除去された前記第２プリディストーション信号のサンプリングレートを前記第２サンプリングレートから前記第１サンプリングレートへ変換する、
処理を実行することを特徴とする歪補償方法。
【発明の詳細な説明】
【技術分野】
【０００１】
本発明は、歪補償装置、送信機および歪補償方法に関する。
【背景技術】
【０００２】
近年、無線通信の高速化に伴い、送信信号の広帯域化と高ダイナミックレンジ化が進んでいる。このような状況下で、信号品質の劣化を最小限に抑えるために、電力増幅器に高い線形性が要求されている。また、装置の小型化、運用コストの削減及び環境問題等の観点から、高い電力変換効率で動作する電力増幅器のニーズが高まっている。
【０００３】
一般的な電力増幅器では、線形性と電力変換効率とが相反関係にある。例えば、飽和電力からバックオフした線形領域で電力増幅器を動作させることで、非線形歪の発生を小さくすることができる。しかし、この場合、電力変換効率が著しく低下し、電力増幅器の消費電力が増加してしまう。そこで、線形性と電力変換効率とを両立させるために、電力変換効率の高い非線形領域で電力増幅器を動作させ、その際に発生する非線形歪を除去する歪補償を使用して線形性を維持することが行われている。この非線形歪を除去する歪補償技術として、プリディストーション（以下、「ＰＤ」と記載する）方式がある。ＰＤ方式は、電力増幅器の非線形歪の逆特性を予め送信信号に乗算することで電力増幅器の出力での線形性を高める技術である。
【０００４】
ここで、ＰＤ方式を用いた歪補償装置の一例を説明する。ＰＤ方式を用いた歪補償装置は、送信信号生成部、歪補償部、Ｄ／Ａ（Digital  to  Analog）変換器、直交変調器（ＱＭＯＤ：Quadrature  Modulator）、発振器、電力増幅器およびアンテナを有する。また、歪補償装置は、直交復調器（ＱＤＥＭ：Quadrature  Demodulator）、発振器、Ａ／Ｄ（Analog  to  Digital）変換器、減算器および係数生成部を有する。
【０００５】
送信信号生成部によって生成された送信信号は、歪補償部に入力され、歪補償部において歪補償係数と乗算される。そして、送信信号と歪補償係数とが乗算されて得られた信号が、ＰＤ信号として生成される。このＰＤ信号は、電力増幅器の非線形歪の逆特性を有する歪成分を含んでいる。ＰＤ信号は、Ｄ／Ａ変換器によってアナログ信号に変換され、ＱＭＯＤおよび発振器によってアップコンバートされ、電力増幅器に入力される。ＰＤ処理により非線形歪が除去された電力増幅器の出力信号は、方向性結合器等によって２つに分岐される。２つに分岐された出力信号の一方は、アンテナを介して外部の受信装置に向けて送信され、出力信号の他方は、ＱＤＥＭおよび発振器によってダウンコンバートされ、Ａ／Ｄ変換器によってディジタル信号に変換され、フィードバック（ＦＢ）信号となる。ＦＢ信号と送信信号生成部によって生成された送信信号とは、減算器に入力される。そして、減算器によってＦＢ信号と送信信号との差分である誤差信号が算出され、係数生成部によって誤差信号が最小となるように歪補償係数が生成され、生成された歪補償係数が歪補償部に出力される。
【０００６】
ところが、上記歪補償装置では、歪補償部によってＰＤ信号を生成するためのサンプリングレートを、Ｄ／Ａ変換器によって信号をアナログ信号に変換するためのサンプリングレートと同等に設定している。このため、サンプリングレートが比較的に低いＤ／Ａ変換器を用いた場合、歪補償部のサンプリングレートも低下する。したがって、歪補償部のサンプリングレートに応じた周波数帯域（以下「歪補償帯域」という）が、ＰＤ信号に現れる、電力増幅器の非線形歪の逆特性の歪成分のうち、高次歪成分を収容することが困難となる。ＰＤ信号に現れる高次歪成分が歪補償帯域に収容されない場合、収容されない高次歪成分が、歪補償帯域内に折り返る。補償帯域内に折り返った高次歪成分（以下「折り返り歪」という）は、ＰＤ処理により非線形歪が除去された電力増幅器の出力信号に残存し、結果として、歪補償性能が劣化してしまう。
【０００７】
そこで、第１従来例として、Ｄ／Ａ変換器のサンプリングレート（第１サンプリングレート）よりも高いサンプリングレート（第２サンプリングレート）でＰＤ信号を生成する技術が提案されている。第１従来例では、生成したＰＤ信号から、第１サンプリングレートに応じた周波数帯域を超える周波数成分を除去し、周波数成分が除去されたＰＤ信号のサンプリングレートを第１サンプリングレートに変換する。そして、第１従来例では、Ｄ／Ａ変換器においてＰＤ信号を第１サンプリングレートでアナログ信号に変換し、変換されたＰＤ信号を電力増幅器へ出力する。これにより、第１従来例では、Ｄ／Ａ変換器のサンプリングレート（第１サンプリングレート）が比較的に低い場合でも、電力増幅器から出力される出力信号に折り返り歪が発生することを回避することができる。結果として、Ｄ／Ａ変換器のサンプリングレート（第１サンプリングレート）が比較的に低い場合でも、歪補償性能の劣化を抑えることができる。
【先行技術文献】
【特許文献】
【０００８】
【特許文献１】特開２０１５−００５９６５号公報
【発明の概要】
【発明が解決しようとする課題】
【０００９】
第１従来例では、ＬＰＦによってＰＤ信号から第１サンプリングレートに応じた周波数成分が除去される場合、除去される周波数成分が多くなるほど、ＰＤ信号の歪特性と、電力増幅器の非線形歪の歪特性とのずれが生じる可能性が高い。ＰＤ信号の歪特性と、電力増幅器の非線形歪の歪特性とのずれが生じると、電力増幅器から出力される出力信号に折り返り歪以外の歪（以下「残留歪」という）が残存し、結果として、歪補償性能の劣化を招く。
【００１０】
そこで、第２従来例として、電力増幅器の非線形歪の歪特性を模擬する歪特性（レプリカ）が付与されたＰＤ信号である歪特性信号と、送信信号との差分を示す残差信号を、残留歪に相当する信号として予め生成する技術が提案されている。第２従来例では、ＬＰＦにより第１サンプリングレートに応じた周波数成分が除去されたＰＤ信号から残差信号を減算し、減算後のＰＤ信号を電力増幅器へ出力する。これにより、第２従来例では、電力増幅器に入力されるＰＤ信号の歪特性と、電力増幅器の非線形歪の歪特性とのずれが軽減されるので、電力増幅器からの出力信号に現れる残留歪が抑制される。結果として、折り返り歪以外の歪の影響による歪補償性能の劣化を抑えることができる。
【００１１】
第２従来例では、第１従来例と同様に、歪補償係数を求めるために、電力増幅器の非線形歪の逆特性を同定している。しかしながら、第２従来例では、残留歪成分を求めるために、電力増幅器の非線形歪の歪特性も同定している。すなわち、第２従来例では、電力増幅器の非線形歪の歪特性を模擬する歪特性（レプリカ）を生成するための演算処理を行なう。さらに、第２従来例では、ＰＤ信号に、電力増幅器の非線形歪の歪特性を模擬する歪特性（レプリカ）を付与して、歪特性信号を生成するための演算処理を行なう。さらに、第２従来例では、歪特性信号と送信信号との差分を示す残差信号（残留歪に相当する信号）を生成するための演算処理を行なう。このように、第２従来例では、電力増幅器の非線形歪の逆特性に加えて、電力増幅器の非線形歪の歪特性を同定するため、演算処理量が増大する。
【００１２】
開示の技術は、かかる点に鑑みてなされたものであって、演算処理量の増大を抑制し、歪補償性能の劣化を抑えることができる歪補償装置、送信機および歪補償方法を提供することを目的とする。
【課題を解決するための手段】
【００１３】
１つの態様では、歪補償装置は、増幅器と、第１歪補償部と、抽出部と、入力信号出力部と、第２歪補償部と、除去部と、第１レート変換部とを有する。増幅器は、信号を増幅して出力する。第１歪補償部は、送信信号をアナログ信号に変換するための第１サンプリングレートよりも高い第２サンプリングレートで、増幅器からのフィードバック信号に基づいて、送信信号にプリディストーション処理を施して第１プリディストーション信号を生成する。抽出部は、第１プリディストーション信号から、第１サンプリングレートに応じた周波数帯域を超える周波数成分を抽出して周波数成分信号を生成する。入力信号出力部は、送信信号と周波数成分信号の逆位相信号を合成して入力信号として出力する。第２歪補償部は、第２サンプリングレートで入力信号にプリディストーション処理を施して第２プリディストーション信号を生成する。除去部は、第２プリディストーション信号から、第１サンプリングレートに応じた周波数帯域を超える周波数成分を除去する。第１レート変換部は、周波数成分が除去された第２プリディストーション信号のサンプリングレートを第２サンプリングレートから第１サンプリングレートへ変換する。
【発明の効果】
【００１４】
１つの側面では、演算処理量の増大を抑制し、歪補償性能の劣化を抑えることができる。
【図面の簡単な説明】
【００１５】
【図１】図１は、実施例１に係る送信機の構成（インダイレクトラーニング構成）の一例を示すブロック図である。
【図２】図２は、実施例１における送信信号生成部から出力される送信信号の波形（Ａ点の波形）の一例を示す図である。
【図３】図３は、実施例１における歪補償部から出力されるＰＤ信号の波形（Ｂ点の波形）の一例を示す図である。
【図４】図４は、実施例１におけるＨＰＦから出力される周波数成分信号の波形（Ｃ点の波形）の一例を示す図である。
【図５】図５は、実施例１における減算器から出力される入力信号の波形（Ｄ点の波形）の一例を示す図である。
【図６】図６は、実施例１における歪補償部から出力されるＰＤ信号の波形（Ｅ点の波形）の一例を示す図である。
【図７】図７は、実施例１におけるサンプリングレート変換部から出力されるＰＤ信号の波形（Ｆ点の波形）の一例を示す図である。
【図８】図８は、実施例１における電力増幅器から出力される出力信号の波形（Ｇ点の波形）の一例を示す図である。
【図９】図９は、実施例１におけるＡ／Ｄ変換器から出力されるＦＢ信号の波形（Ｈ点の波形）の一例を示す図である。
【図１０】図１０は、実施例１に係る送信機の動作の一例を示すフローチャートである。
【図１１】図１１は、実施例１における電力増幅器および参考例１における電力増幅器から出力される出力信号の波形の一例を示す図である。
【図１２】図１２は、実施例２に係る送信機の構成（ダイレクトラーニング構成）の一例を示すブロック図である。
【図１３】図１３は、実施例２に係る送信機の動作の一例を示すフローチャートである。
【図１４】図１４は、参考例１における送信機の構成（インダイレクトラーニング構成）の一例を示す図である。
【図１５】図１５は、参考例２における送信機の構成（ダイレクトラーニング構成）の一例を示す図である。
【発明を実施するための形態】
【００１６】
以下に、本願の開示する歪補償装置、送信機および歪補償方法の実施例を、図面に基づいて詳細に説明する。なお、以下の実施例により本発明が限定されるものではない。
【００１７】
ここで、実施例１に係る送信機について説明する前に、参考例１における送信機について説明する。
【００１８】
［参考例１］
図１４は、参考例１における送信機６００の構成（インダイレクトラーニング構成）の一例を示す図である。
【００１９】
参考例１における送信機６００は、送信信号生成部１０１、歪補償部１０２、ＬＰＦ（Low  Pass  Filter）１０３、サンプリングレート変換部１０４およびＤ／Ａ（Digital  to  Analog）変換器１０５を有する。また、送信機６００は、直交変調器（ＱＭＯＤ：Quadrature  Modulator）１０６、発振器１０７、電力増幅器１０８、ＢＰＦ（Band  Pass  Filter）１０８ａおよびアンテナ１０９を有する。また、送信機６００は、直交復調器（ＱＤＥＭ：Quadrature  Demodulator）１１０および発振器１１１を有する。また、送信機６００は、Ａ／Ｄ（Analog  to  Digital）変換器５１２、歪補償部５１３、減算器５１４および係数生成部５１５を有する。また、送信機６００は、歪付与部６０１、ＬＰＦ６０２、減算器６０３、減算器６０４、歪付与部６０５、減算器６０６および歪付与係数生成部６０７を有する。
【００２０】
送信信号生成部１０１は、ベースバンド信号を変調することによって送信信号Ｓ１となるキャリア（搬送波）を生成する。そして、送信信号生成部１０１は、生成した送信信号Ｓ１を歪補償部１０２および減算器６０３へ出力する。
【００２１】
歪補償部１０２は、後述するＤ／Ａ変換器１０５のサンプリングレートＲ１よりも高いサンプリングレートＲ２で送信信号にプリディストーション（以下、「ＰＤ」と記載する）処理を施す。詳細には、歪補償部１０２は、送信信号Ｓ１の入力を送信信号生成部１０１から受け付ける。歪補償部１０２は、歪補償係数の入力を係数生成部５１５から受け付ける。そして、歪補償部１０２は、サンプリングレートＲ２で入力信号（送信信号Ｓ１）をリサンプリングし、リサンプリングされた送信信号Ｓ１に歪補償係数を乗算することによって、ＰＤ処理が施された送信信号Ｓ１（ＰＤ信号）を生成する。ＰＤ信号には、送信信号Ｓ１と、送信信号Ｓ１の３次歪成分および５次歪成分を含む歪成分Ｄ３１、Ｄ３２と、送信信号Ｓ１の５次歪成分Ｄ５１、Ｄ５２とが含まれる。すなわち、ＰＤ信号には、電力増幅器１０８の非線形歪の逆特性を有する歪成分が現れる。歪補償部１０２によって用いられるサンプリングレートＲ２は、例えば、サンプリングレートＲ２に応じた周波数帯域（歪補償帯域）ＢＦ２がＰＤ信号に現れる歪成分を収容し得るように、選定される。そして、歪補償部１０２は、生成したＰＤ信号をＬＰＦ１０３へ出力する。
【００２２】
ＬＰＦ１０３は、ＰＤ信号の入力を歪補償部１０２から受け付ける。ＬＰＦ１０３は、ＰＤ信号から、Ｄ／Ａ変換器１０５のサンプリングレートＲ１に応じた周波数帯域ＢＦ１を超える周波数成分である５次歪成分Ｄ５１、Ｄ５２を除去する。この場合、５次歪成分Ｄ５１、Ｄ５２が除去されたＰＤ信号には、送信信号Ｓ１と、歪成分Ｄ３１ａ、Ｄ３２ａとが含まれる。歪成分Ｄ３１ａ、Ｄ３２ａには、電力増幅器１０８の非線形歪の歪特性とＰＤ信号の歪特性とのずれに起因して発生した残留歪と、歪成分Ｄ３１、Ｄ３２とが含まれる。ＬＰＦ１０３は、５次歪成分Ｄ５１、Ｄ５２が除去されたＰＤ信号を歪付与部６０１および減算器６０４へ出力する。
【００２３】
歪付与部６０１は、５次歪成分Ｄ５１、Ｄ５２が除去されたＰＤ信号の入力をＬＰＦ１０３から受け付ける。歪付与部６０１は、歪付与係数の入力を後述する歪付与係数生成部６０７から受け付ける。そして、歪付与部６０１は、５次歪成分Ｄ５１、Ｄ５２が除去されたＰＤ信号に歪付与係数を乗算することによって、電力増幅器１０８の非線形歪の歪特性を模擬する歪特性が付与されたＰＤ信号を生成する。ここで、電力増幅器１０８の非線形歪の歪特性を模擬する歪特性は、電力増幅器１０８の非線形歪の歪特性のレプリカである。以下、電力増幅器１０８の非線形歪の歪特性を模擬する歪特性（レプリカ）が付与されたＰＤ信号を「歪特性信号」という。歪付与部６０１は、生成した歪特性信号をＬＰＦ６０２へ出力する。歪付与部６０１から出力される歪特性信号には、電力増幅器１０８の非線形歪の歪特性を模擬する歪特性（レプリカ）の歪成分として、送信信号Ｓ１の５次歪成分Ｄ５１、Ｄ５２が含まれる。さらに、歪付与部６０１から出力される歪特性信号には、送信信号Ｓ１の帯域のエッジからＬＰＦ１０３の通過帯域である周波数帯域ＢＦ１のエッジに向けて増大する歪成分Ｒ７１、Ｒ７２が残留歪として含まれる。
【００２４】
ＬＰＦ６０２は、歪特性信号の入力を歪付与部６０１から受け付ける。ＬＰＦ６０２は、歪特性信号から、Ｄ／Ａ変換器１０５のサンプリングレートＲ１に応じた周波数帯域ＢＦ１を超える周波数成分である５次歪成分Ｄ５１、Ｄ５２を除去し、５次歪成分Ｄ５１、Ｄ５２が除去された歪特性信号を減算器６０３へ出力する。５次歪成分Ｄ５１、Ｄ５２が除去された歪特性信号には、送信信号Ｓ１と、残留歪である歪成分Ｒ７１、Ｒ７２とが含まれる。
【００２５】
減算器６０３は、歪特性信号の入力をＬＰＦ６０２から受け付ける。減算器６０３は、ＰＤ処理が未だ施されていない送信信号の入力を送信信号生成部１０１から受け付ける。そして、減算器６０３は、歪特性信号から送信信号を減算することによって、歪特性信号と送信信号との差分を示す残差信号を生成する。ここで、歪特性信号は、電力増幅器１０８の非線形歪の歪特性を模擬する歪特性（レプリカ）が付与されたＰＤ信号である。したがって、歪特性信号と送信信号との差分を示す残差信号は、電力増幅器１０８の非線形歪の歪特性と、電力増幅器１０８に入力されるＰＤ信号の歪特性とのずれに起因して発生する残留歪に相当する信号である。つまり、減算器６０３は、電力増幅器１０８の非線形歪のうち、ＰＤ信号により除去されない残留歪に相当する残差信号を生成する。減算器６０３は、生成した残差信号を減算器６０４へ出力する。減算器６０３から出力される残差信号には、残留歪である歪成分Ｒ７１、Ｒ７２のみが含まれる。
【００２６】
減算器６０４は、残差信号の入力を減算器６０３から受け付ける。減算器６０４は、５次歪成分Ｄ５１、Ｄ５２が除去されたＰＤ信号の入力をＬＰＦ１０３から受け付ける。ＬＰＦ１０３により５次歪成分Ｄ５１、Ｄ５２が除去されたＰＤ信号には、送信信号の帯域のエッジからＬＰＦ１０３の通過帯域である周波数帯域ＢＦ１のエッジに向けて増大する歪成分が残留歪として現れる。減算器６０４は、ＬＰＦ１０３により５次歪成分Ｄ５１、Ｄ５２が除去されたＰＤ信号から、残留歪に相当する残差信号を減算する。言い換えれば、減算器６０４は、残留歪に相当する残差信号の符号を反転し、符号の反転された残差信号をＰＤ信号に加算することによって、ＰＤ信号に残留歪として含まれる歪成分と、残留歪に相当する残差信号とを相殺させる。ＰＤ信号に残留歪として含まれる歪成分と、残留歪に相当する残差信号とが相殺されると、電力増幅器１０８に入力されるＰＤ信号の歪特性と、電力増幅器１０８の非線形歪の歪特性とのずれが軽減される。そして、減算器６０４は、残差信号が減算されたＰＤ信号をサンプリングレート変換部１０４へ出力する。残差信号が減算されたＰＤ信号には、送信信号Ｓ１と、歪成分Ｄ３１、Ｄ３２とが含まれる。
【００２７】
サンプリングレート変換部１０４は、５次歪成分Ｄ５１、Ｄ５２が除去され、かつ、残差信号が減算されたＰＤ信号の入力を減算器６０４から受け付ける。サンプリングレート変換部１０４は、５次歪成分Ｄ５１、Ｄ５２が除去され、かつ、残差信号が減算されたＰＤ信号のサンプリングレートを、歪補償部１０２のサンプリングレートＲ２からＤ／Ａ変換器１０５のサンプリングレートＲ１へ変換する。詳細には、サンプリングレート変換部１０４は、ＰＤ信号を間引くことでＰＤ信号のサンプリングレートを歪補償部１０２のサンプリングレートＲ２からＤ／Ａ変換器１０５のサンプリングレートＲ１へ変換する。これにより、ＰＤ信号の存在する最低の周波数から最高の周波数に至る周波数帯域が、歪補償帯域ＢＦ２から、Ｄ／Ａ変換器１０５のサンプリングレートＲ１に応じた周波数帯域ＢＦ１に調整される。なお、ＰＤ信号を間引くことには、ＰＤ信号に対して補間処理を施し、補間処理が施されたＰＤ信号を間引くことも含まれる。そして、サンプリングレート変換部１０４は、サンプリングレートが変換されたＰＤ信号をＤ／Ａ変換器１０５、減算器５１４および歪付与部６０５へ出力する。
【００２８】
Ｄ／Ａ変換器１０５は、サンプリングレートが変換されたＰＤ信号の入力をサンプリングレート変換部１０４から受け付ける。Ｄ／Ａ変換器１０５は、サンプリングレートＲ１でＰＤ信号をアナログ信号に変換し、アナログ信号に変換されたＰＤ信号をＱＭＯＤ１０６へ出力する。
【００２９】
ＱＭＯＤ１０６は、アナログ信号に変換されたＰＤ信号の入力をＤ／Ａ変換器１０５から受け付ける。ＱＭＯＤ１０６は、発振器１０７から入力される信号を用いてＰＤ信号を無線周波数にアップコンバートし、アップコンバートしたＰＤ信号を電力増幅器１０８へ出力する。
【００３０】
電力増幅器１０８は、ＰＤ信号の入力をＱＭＯＤ１０６から受け付ける。電力増幅器１０８は、ＰＤ信号を増幅し、出力信号を生成する。そして、電力増幅器１０８から出力される出力信号は、２つに分岐される。そして、２つに分岐された出力信号のうち一方は、ＢＰＦ１０８ａおよびアンテナ１０９を介して外部の受信装置に向けて無線信号として送信され、他方は、ＱＤＥＭ１１０へ出力される。
【００３１】
ここで、ＰＤ信号から既に残留歪に相当する残差信号が減算されているので、電力増幅器１０８に入力されるＰＤ信号の歪特性と、電力増幅器１０８の非線形歪の歪特性とのずれが軽減されている。したがって、ＰＤ信号により電力増幅器１０８の非線形歪が除去された結果、電力増幅器１０８からの出力信号に現れる残留歪が抑制される。例えば、電力増幅器１０８からの出力信号に残留歪として現れる歪成分Ｒ８１、Ｒ８２は、歪成分Ｒ７１、Ｒ７２よりも抑制される。
【００３２】
ＢＰＦ１０８ａは、Ｄ／Ａ変換器１０５のサンプリングレートＲ１に応じた周波数帯域ＢＦ１を通過帯域として有する。ＢＰＦ１０８ａは、電力増幅器１０８から出力された出力信号から、Ｄ／Ａ変換器１０５のサンプリングレートＲ１に応じた周波数帯域ＢＦ１を超える周波数成分を除去し、周波数成分が除去された出力信号をアンテナ１０９へ出力する。例えば、ＢＰＦ１０８ａは、出力信号から、Ｄ／Ａ変換器１０５のサンプリングレートＲ１に応じた周波数帯域ＢＦ１を超える周波数成分である５次歪成分Ｄ５１、Ｄ５２を除去し、５次歪成分Ｄ５１、Ｄ５２が除去された出力信号をアンテナ１０９へ出力する。
【００３３】
ＱＤＥＭ１１０は、電力増幅器１０８から出力された出力信号の入力を受け付ける。電力増幅器１０８からＱＤＥＭ１１０へ出力された出力信号を、以下では「フィードバック（ＦＢ）信号」と呼ぶ。ＱＤＥＭ１１０は、発振器１１１から入力される信号を用いてＦＢ信号をベースバンド信号の周波数にダウンコンバートし、ダウンコンバートしたＦＢ信号をＡ／Ｄ変換器５１２へ出力する。
【００３４】
Ａ／Ｄ変換器５１２は、ベースバンド信号の周波数にダウンコンバートされたＦＢ信号の入力をＱＤＥＭ１１０から受け付ける。Ａ／Ｄ変換器５１２は、Ｄ／Ａ変換器１０５のサンプリングレートＲ１でＦＢ信号をディジタル信号に変換し、ディジタル信号に変換されたＦＢ信号を歪補償部５１３および減算器６０６へ出力する。
【００３５】
歪付与部６０５は、サンプリングレートがＤ／Ａ変換器１０５のサンプリングレートＲ１へ変換されたＰＤ信号の入力をサンプリングレート変換部１０４から受け付ける。歪付与部６０５は、歪付与係数の入力を後述する歪付与係数生成部６０７から受け付ける。そして、歪付与部６０５は、サンプリングレートがＤ／Ａ変換器１０５のサンプリングレートＲ１へ変換されたＰＤ信号に歪付与係数を乗算することによって、歪特性信号を生成する。歪付与部６０５は、生成した歪特性信号を減算器６０６へ出力する。
【００３６】
減算器６０６は、歪特性信号の入力を歪付与部６０５から受け付ける。減算器６０６は、Ｄ／Ａ変換器１０５のサンプリングレートＲ１でディジタル信号に変換されたＦＢ信号の入力をＡ／Ｄ変換器５１２から受け付ける。そして、減算器６０６は、歪特性信号とＦＢ信号との差分を示す誤差信号を生成する。そして、減算器６０６は、生成した誤差信号を歪付与係数生成部６０７へ出力する。
【００３７】
歪付与係数生成部６０７は、誤差信号の入力を減算器６０６から受け付ける。歪付与係数生成部６０７は、誤差信号に基づいて、電力増幅器１０８の非線形歪の歪特性を模擬する歪特性（レプリカ）をＰＤ信号に付与するための歪付与係数を生成する。例えば、歪付与係数生成部６０７は、ＬＭＳアルゴリズム等を用いた適応信号処理によって誤差信号が最小となるように、歪付与係数を生成する。そして、歪付与係数生成部６０７は、生成した歪付与係数を歪付与部６０１および歪付与部６０５へ出力する。これにより、歪付与部６０１および歪付与部６０５によって用いられる歪付与係数が更新される。
【００３８】
歪補償部５１３は、Ｄ／Ａ変換器１０５のサンプリングレートＲ１でＦＢ信号にＰＤ処理を施す。詳細には、歪補償部５１３は、Ｄ／Ａ変換器１０５のサンプリングレートＲ１でディジタル信号に変換されたＦＢ信号の入力をＡ／Ｄ変換器５１２から受け付ける。歪補償部５１３は、歪補償係数の入力を係数生成部５１５から受け付ける。そして、歪補償部５１３は、Ｄ／Ａ変換器１０５のサンプリングレートＲ１でＦＢ信号をサンプリングする。歪補償部５１３は、サンプリングされたＦＢ信号に歪補償係数を乗算することによって、ＰＤ処理が施されたＦＢ信号（ＦＢ系ＰＤ信号）を生成する。歪補償部５１３は、生成したＦＢ系ＰＤ信号を減算器５１４へ出力する。
【００３９】
減算器５１４は、サンプリングレートがＤ／Ａ変換器１０５のサンプリングレートＲ１へ変換されたＰＤ信号の入力をサンプリングレート変換部１０４から受け付ける。減算器５１４は、ＦＢ系ＰＤ信号の入力を歪補償部５１３から受け付ける。そして、減算器５１４は、ＰＤ信号とＦＢ系ＰＤ信号との差分を示す誤差信号を生成する。減算器５１４は、生成した誤差信号を係数生成部５１５へ出力する。
【００４０】
係数生成部５１５は、誤差信号の入力を減算器５１４から受け付ける。係数生成部５１５は、誤差信号に基づいて歪補償係数を生成する。例えば、係数生成部５１５は、ＬＭＳ（Least  Mean  Square）アルゴリズム等を用いた適応信号処理によって誤差信号が最小となるように、歪補償係数を求める。そして、係数生成部５１５は、求めた歪補償係数を歪補償部１０２および歪補償部５１３へ出力する。これにより、歪補償部１０２および歪補償部５１３によって用いられる歪補償係数が更新される。
【００４１】
このように、参考例１における送信機６００では、Ｄ／Ａ変換器１０５のサンプリングレートＲ１よりも高いサンプリングレートＲ２でＰＤ信号を生成する。参考例１における送信機６００では、生成したＰＤ信号から、サンプリングレートＲ１に応じた周波数帯域ＢＦ１を超える周波数成分を除去し、周波数成分が除去されたＰＤ信号のサンプリングレートをサンプリングレートＲ１に変換する。そして、参考例１における送信機６００では、Ｄ／Ａ変換器１０５においてＰＤ信号をサンプリングレートＲ１でアナログ信号に変換し、変換されたＰＤ信号を電力増幅器１０８へ出力する。これにより、参考例１における送信機６００では、Ｄ／Ａ変換器１０５のサンプリングレートＲ１が比較的に低い場合でも、電力増幅器１０８から出力される出力信号に折り返り歪が発生することを回避することができる。結果として、Ｄ／Ａ変換器１０５のサンプリングレートＲ１が比較的に低い場合でも、歪補償性能の劣化を抑えることができる。
【００４２】
また、参考例１における送信機６００では、電力増幅器１０８の非線形歪の歪特性を模擬する歪特性（レプリカ）が付与されたＰＤ信号である歪特性信号と、送信信号との差分を示す残差信号を、残留歪に相当する信号として予め生成する。参考例１における送信機６００では、ＬＰＦ１０３により周波数成分が除去されたＰＤ信号から残差信号を減算し、減算後のＰＤ信号を電力増幅器１０８へ出力する。これにより、参考例１における送信機６００では、電力増幅器１０８に入力されるＰＤ信号の歪特性と、電力増幅器１０８の非線形歪の歪特性とのずれが軽減されるので、電力増幅器１０８からの出力信号に現れる残留歪が抑制される。結果として、折り返り歪以外の歪（残留歪）の影響による歪補償性能の劣化を抑えることができる。
【００４３】
しかしながら、参考例１における送信機６００では、残差信号（残留歪に相当する信号）を生成するために複数の演算処理を実施している。例えば、歪付与部６０５、減算器６０６および歪付与係数生成部６０７により、電力増幅器１０８の非線形歪の歪特性を模擬する歪特性（レプリカ）を生成するための演算処理（第１の演算処理）が行なわれる。また、歪付与部６０１により、ＰＤ信号に、電力増幅器１０８の非線形歪の歪特性を模擬する歪特性（レプリカ）を付与して、歪特性信号を生成するための演算処理（第２の演算処理）が行なわれる。また、ＬＰＦ６０２および減算器６０３により、歪特性信号と送信信号との差分を示す残差信号を生成するための演算処理（第３の演算処理）が行なわれる。
【００４４】
このように、参考例１における送信機６００では、残差信号を生成するために複数の演算処理（第１〜第３の演算処理）を実施することにより、演算処理量が増大する。
【実施例１】
【００４５】
図１は、実施例１に係る送信機３１の構成（インダイレクトラーニング構成）の一例を示すブロック図である。
【００４６】
実施例１に係る送信機３１は、送信信号生成部１、ＢＰＦ（Band  Pass  Filter）８ａ、アンテナ９および歪補償装置４１を有する。
【００４７】
歪補償装置４１は、歪補償部２、ＬＰＦ（Low  Pass  Filter）３、サンプリングレート変換部４、Ｄ／Ａ（Digital  to  Analog）変換器５、直交変調器（ＱＭＯＤ：Quadrature  Modulator）６、発振器７および電力増幅器８を有する。また、送信機３１は、直交復調器（ＱＤＥＭ：Quadrature  Demodulator）１０、発振器１１、Ａ／Ｄ（Analog  to  Digital）変換器１２、歪補償部１３、減算器１４および係数生成部１５を有する。また、送信機３１は、歪補償部１６、ＨＰＦ（High  Pass  Filter）１７および加算器１８を有する。
【００４８】
送信信号生成部１は、ベースバンド信号を変調することによって送信信号となるキャリア（搬送波）を生成する。そして、送信信号生成部１は、生成した送信信号を歪補償部１６および加算器１８へ出力する。
【００４９】
図２は、実施例１における送信信号生成部１から出力される送信信号（入力信号）の波形（Ａ点の波形）の一例を示す図である。図２において、横軸は周波数を示しており、縦軸はパワーを示している。図２に示すように、送信信号生成部１は、送信信号Ｓ１を生成し、生成した送信信号Ｓ１を歪補償部１６および加算器１８へ出力する。
【００５０】
歪補償部１６は、後述するＤ／Ａ変換器５のサンプリングレートＲ１よりも高いサンプリングレートＲ２で送信信号にプリディストーション（以下、「ＰＤ」と記載する）処理を施す。詳細には、歪補償部１６は、送信信号Ｓ１の入力を送信信号生成部１から受け付ける。歪補償部１６は、歪補償係数の入力を係数生成部１５から受け付ける。そして、歪補償部１６は、サンプリングレートＲ２で送信信号Ｓ１をリサンプリングし、リサンプリングされた送信信号Ｓ１に歪補償係数を乗算することによって、ＰＤ処理が施された送信信号Ｓ１（以下「ＰＤ信号」という）を生成する。ＰＤ信号には、電力増幅器８の非線形歪の逆特性を有する歪成分が現れる。歪補償部１６によって用いられるサンプリングレートＲ２は、例えば、サンプリングレートＲ２に応じた周波数帯域（以下「歪補償帯域」という）ＢＦ２がＰＤ信号に現れる歪成分を収容し得るように、選定される。そして、歪補償部１６は、生成したＰＤ信号をＨＰＦ１７へ出力する。ここで、歪補償部１６は、「第１歪補償部」の一例である。
【００５１】
図３は、実施例１における歪補償部１６から出力されるＰＤ信号の波形（Ｂ点の波形）の一例を示す図である。図３において、横軸は周波数を示しており、縦軸はパワーを示している。図３に示すように、歪補償部１６は、Ｄ／Ａ変換器５のサンプリングレートＲ１よりも高いサンプリングレートＲ２で送信信号Ｓ１をリサンプリングし、リサンプリングした送信信号Ｓ１に歪補償係数を乗算することによって、ＰＤ信号を生成する。歪補償部１６は、生成したＰＤ信号をＨＰＦ１７へ出力する。歪補償部１６から出力されるＰＤ信号には、送信信号Ｓ１と、送信信号Ｓ１の３次歪成分および５次歪成分を含む歪成分Ｄ３１、Ｄ３２と、送信信号Ｓ１の５次歪成分Ｄ５１、Ｄ５２とが含まれる。
【００５２】
ＨＰＦ１７は、ＰＤ信号の入力を歪補償部１６から受け付ける。ＨＰＦ１７は、ＰＤ信号から、Ｄ／Ａ変換器５のサンプリングレートＲ１に応じた周波数帯域を超える周波数成分を抽出した信号を生成する。以下、ＨＰＦ１７により周波数成分が抽出された信号を「周波数成分信号」という。ＨＰＦ１７は、生成した周波数成分信号を加算器１８へ出力する。ここで、ＨＰＦ１７は、「抽出部」の一例である。
【００５３】
図４は、実施例１におけるＨＰＦ１７から出力される周波数成分信号の波形（Ｃ点の波形）の一例を示す図である。図４において、横軸は周波数を示しており、縦軸はパワーを示している。図４に示すように、ＨＰＦ１７は、ＰＤ信号から、Ｄ／Ａ変換器５のサンプリングレートＲ１に応じた周波数帯域ＢＦ１を超える周波数成分である５次歪成分Ｄ５１、Ｄ５２を抽出することにより、周波数成分信号を生成する。
【００５４】
加算器１８は、周波数成分信号の入力をＨＰＦ１７から受け付ける。加算器１８は、送信信号Ｓ１の入力を送信信号生成部１から受け付ける。そして、加算器１８は、送信信号Ｓ１に、周波数成分信号の逆位相を表す逆位相信号を加算する。すなわち、加算器１８は、送信信号Ｓ１から、Ｄ／Ａ変換器５のサンプリングレートＲ１に応じた周波数帯域ＢＦ１を超える周波数成分である５次歪成分Ｄ５１、Ｄ５２の逆位相信号を加算する。これによって、加算器１８は、送信信号Ｓ１に周波数成分信号の逆位相信号を合成した信号を生成する。以下、送信信号Ｓ１に周波数成分信号を合成した信号を「入力信号」という。加算器１８は、入力信号を歪補償部２へ出力する。ここで、加算器１８は、「入力信号出力部」の一例である。
【００５５】
図５は、実施例１における加算器１８から出力される入力信号の波形（Ｄ点の波形）の一例を示す図である。図５において、横軸は周波数を示しており、縦軸はパワーを示している。図５に示すように、加算器１８から出力される入力信号には、送信信号Ｓ１と、送信信号Ｓ１の５次歪成分Ｄ５１、Ｄ５２の逆位相信号とが含まれる。
【００５６】
歪補償部２は、Ｄ／Ａ変換器５のサンプリングレートＲ１よりも高いサンプリングレートＲ２で、入力信号にＰＤ処理を施す。詳細には、歪補償部２は、入力信号の入力を加算器１８から受け付ける。歪補償部２は、歪補償係数の入力を係数生成部１５から受け付ける。そして、歪補償部２は、サンプリングレートＲ２で入力信号をサンプリングし、サンプリングされた入力信号に歪補償係数を乗算することによって、ＰＤ処理が施された入力信号を生成する。以下、ＰＤ処理が施された入力信号を「ＰＤ信号」という。ここで、歪補償部２により生成されたＰＤ信号には、電力増幅器８の非線形歪の逆特性を有する歪成分が現れる。歪補償部２によって用いられるサンプリングレートＲ２は、例えば、サンプリングレートＲ２に応じた周波数帯域（以下「歪補償帯域」という）ＢＦ２がＰＤ信号に現れる歪成分を収容し得るように、選定される。そして、歪補償部２は、生成したＰＤ信号をＬＰＦ３へ出力する。ここで、歪補償部２は、「第２歪補償部」の一例である。
【００５７】
図６は、実施例１における歪補償部２から出力されるＰＤ信号の波形（Ｅ点の波形）の一例を示す図である。図６において、横軸は周波数を示しており、縦軸はパワーを示している。図６に示すように、歪補償部２は、Ｄ／Ａ変換器５のサンプリングレートＲ１よりも高いサンプリングレートＲ２で入力信号をサンプリングする。そして、歪補償部２は、サンプリングした入力信号に歪補償係数を乗算することによって、ＰＤ信号を生成する。歪補償部２は、生成したＰＤ信号をＬＰＦ３へ出力する。歪補償部２から出力されるＰＤ信号には、送信信号Ｓ１と、送信信号Ｓ１の３次歪成分および５次歪成分を含む歪成分Ｄ３１、Ｄ３２と、送信信号Ｓ１の５次歪成分Ｄ５１、Ｄ５２とが含まれる。
【００５８】
ＬＰＦ３は、ＰＤ信号の入力を歪補償部２から受け付ける。ＬＰＦ３は、ＰＤ信号から、Ｄ／Ａ変換器５のサンプリングレートＲ１に応じた周波数帯域を超える周波数成分を除去し、周波数成分が除去されたＰＤ信号をサンプリングレート変換部４へ出力する。詳細には、ＬＰＦ３は、図６に示したＰＤ信号から、Ｄ／Ａ変換器５のサンプリングレートＲ１に応じた周波数帯域ＢＦ１を超える周波数成分である５次歪成分Ｄ５１、Ｄ５２を除去する。この場合、５次歪成分Ｄ５１、Ｄ５２が除去されたＰＤ信号には、送信信号Ｓ１と、歪成分Ｄ３１、Ｄ３２とが含まれる。ここで、ＬＰＦ３は、「除去部」の一例である。
【００５９】
サンプリングレート変換部４は、５次歪成分Ｄ５１、Ｄ５２が除去されたＰＤ信号の入力をＬＰＦ３から受け付ける。サンプリングレート変換部４は、５次歪成分Ｄ５１、Ｄ５２が除去されたＰＤ信号のサンプリングレートを、歪補償部２のサンプリングレートＲ２からＤ／Ａ変換器５のサンプリングレートＲ１へ変換する。詳細には、サンプリングレート変換部４は、ＰＤ信号を間引くことでＰＤ信号のサンプリングレートを歪補償部２のサンプリングレートＲ２からＤ／Ａ変換器５のサンプリングレートＲ１へ変換する。なお、ＰＤ信号を間引くことには、ＰＤ信号に対して補間処理を施し、補間処理が施されたＰＤ信号を間引くことも含まれる。そして、サンプリングレート変換部４は、サンプリングレートが変換されたＰＤ信号をＤ／Ａ変換器５および減算器１４へ出力する。ここで、サンプリングレート変換部４は、「第１レート変換部」の一例である。
【００６０】
図７は、実施例１におけるサンプリングレート変換部４から出力されるＰＤ信号の波形（Ｆ点の波形）の一例を示す図である。図７において、横軸は周波数を示しており、縦軸はパワーを示している。サンプリングレート変換部４は、図６に示したＰＤ信号のサンプリングレートを歪補償部２のサンプリングレートＲ２からＤ／Ａ変換器５のサンプリングレートＲ１へ変換する。これにより、ＰＤ信号の存在する最低の周波数から最高の周波数に至る周波数帯域が、図７に示すように、歪補償帯域ＢＦ２から、Ｄ／Ａ変換器５のサンプリングレートＲ１に応じた周波数帯域ＢＦ１に調整される。
【００６１】
Ｄ／Ａ変換器５は、サンプリングレートが変換されたＰＤ信号の入力をサンプリングレート変換部４から受け付ける。Ｄ／Ａ変換器５は、サンプリングレートＲ１でＰＤ信号をアナログ信号に変換し、アナログ信号に変換されたＰＤ信号をＱＭＯＤ６へ出力する。ここで、Ｄ／Ａ変換器５は、「第１信号変換部」の一例である。
【００６２】
ＱＭＯＤ６は、アナログ信号に変換されたＰＤ信号の入力をＤ／Ａ変換器５から受け付ける。ＱＭＯＤ６は、発振器７から入力される信号を用いてＰＤ信号を無線周波数にアップコンバートし、アップコンバートしたＰＤ信号を電力増幅器８へ出力する。
【００６３】
電力増幅器８は、ＰＤ信号の入力をＱＭＯＤ６から受け付ける。電力増幅器８は、ＰＤ信号を増幅し、出力信号を生成する。そして、電力増幅器８から出力される出力信号は、２つに分岐される。そして、２つに分岐された出力信号のうち一方は、ＢＰＦ８ａおよびアンテナ９を介して外部の受信装置に向けて無線信号として送信され、他方は、ＱＤＥＭ１０へ出力される。ここで、電力増幅器８は、「増幅器」の一例である。
【００６４】
図８は、実施例１における電力増幅器８から出力される出力信号の波形（Ｇ点の波形）の一例を示す図である。図８において、横軸は周波数を示しており、縦軸はパワーを示している。電力増幅器８から出力される出力信号には、送信信号Ｓ１と、電力増幅器８の出力信号に折り返り歪として現れる歪成分Ｒ９１、Ｒ９２とが含まれる。ここで、ＰＤ信号から既に折り返り歪に相当する周波数成分信号が減算（除去）されているので、電力増幅器８に入力されるＰＤ信号の歪特性と、電力増幅器８の非線形歪の歪特性とのずれが軽減されている。したがって、ＰＤ信号により電力増幅器８の非線形歪が除去された結果、電力増幅器８からの出力信号に現れる折り返り歪が抑制される。
【００６５】
ＢＰＦ８ａは、Ｄ／Ａ変換器５のサンプリングレートＲ１に応じた周波数帯域ＢＦ１を通過帯域として有する。ＢＰＦ８ａは、電力増幅器８から出力された出力信号から、Ｄ／Ａ変換器５のサンプリングレートＲ１に応じた周波数帯域ＢＦ１を超える周波数成分を除去し、周波数成分が除去された出力信号をアンテナ９へ出力する。例えば、ＢＰＦ８ａは、図８に示した出力信号から、Ｄ／Ａ変換器５のサンプリングレートＲ１に応じた周波数帯域ＢＦ１を超える周波数成分である５次歪成分Ｄ５１、Ｄ５２を除去し、５次歪成分Ｄ５１、Ｄ５２が除去された出力信号をアンテナ９へ出力する。ここで、ＢＰＦ８ａおよびアンテナ９は、「送信部」の一例である。
【００６６】
ＱＤＥＭ１０は、電力増幅器８から出力された出力信号の入力を受け付ける。電力増幅器８からＱＤＥＭ１０へ出力された出力信号を、以下では「フィードバック（ＦＢ）信号」と呼ぶ。ＱＤＥＭ１０は、発振器１１から入力される信号を用いてＦＢ信号をベースバンド信号の周波数にダウンコンバートし、ダウンコンバートしたＦＢ信号をＡ／Ｄ変換器１２へ出力する。
【００６７】
Ａ／Ｄ変換器１２は、ベースバンド信号の周波数にダウンコンバートされたＦＢ信号の入力をＱＤＥＭ１０から受け付ける。Ａ／Ｄ変換器１２は、Ｄ／Ａ変換器５のサンプリングレートＲ１でＦＢ信号をディジタル信号に変換し、ディジタル信号に変換されたＦＢ信号を歪補償部１３へ出力する。ここで、Ａ／Ｄ変換器１２は、「第２信号変換部」の一例である。
【００６８】
図９は、実施例１におけるＡ／Ｄ変換器１２から出力されるＦＢ信号の波形（Ｈ点の波形）の一例を示す図である。Ａ／Ｄ変換器１２から出力されるＦＢ信号には、送信信号Ｓ１と、電力増幅器８の出力信号に折り返り歪として現れる歪成分Ｒ９１、Ｒ９２とが含まれる。
【００６９】
歪補償部１３は、Ｄ／Ａ変換器５のサンプリングレートＲ１でＦＢ信号にＰＤ処理を施す。詳細には、歪補償部１３は、Ｄ／Ａ変換器５のサンプリングレートＲ１でディジタル信号に変換されたＦＢ信号の入力をＡ／Ｄ変換器１２から受け付ける。歪補償部１３は、歪補償係数の入力を係数生成部１５から受け付ける。そして、歪補償部１３は、Ｄ／Ａ変換器５のサンプリングレートＲ１でＦＢ信号をサンプリングし、サンプリングされたＦＢ信号に歪補償係数を乗算することによって、ＰＤ処理が施されたＦＢ信号を生成する。ＰＤ処理が施されたＦＢ信号を、以下では「ＦＢ系ＰＤ信号」と呼ぶ。歪補償部１３は、生成したＦＢ系ＰＤ信号を減算器１４へ出力する。
【００７０】
減算器１４は、サンプリングレートがＤ／Ａ変換器５のサンプリングレートＲ１へ変換されたＰＤ信号の入力をサンプリングレート変換部４から受け付ける。減算器１４は、ＦＢ系ＰＤ信号の入力を歪補償部１３から受け付ける。そして、減算器１４は、ＰＤ信号とＦＢ系ＰＤ信号との差分を示す誤差信号を生成する。減算器１４は、生成した誤差信号を係数生成部１５へ出力する。ここで、減算器１４は、「誤差信号生成部」の一例である。
【００７１】
係数生成部１５は、誤差信号の入力を減算器１４から受け付ける。係数生成部１５は、誤差信号に基づいて歪補償係数を生成する。例えば、係数生成部１５は、ＬＭＳ（Least  Mean  Square）アルゴリズム等を用いた適応信号処理によって誤差信号が最小となるように、歪補償係数を求める。そして、係数生成部１５は、求めた歪補償係数を歪補償部２、歪補償部１３および歪補償部１６へ出力する。これにより、歪補償部２、歪補償部１３および歪補償部１６によって用いられる歪補償係数が更新される。
【００７２】
次に、図１０を参照して、実施例１に係る送信機３１による信号送信における処理について説明する。図１０は、実施例１に係る送信機３１の動作の一例を示すフローチャートである。
【００７３】
Ａ／Ｄ変換器１２は、Ｄ／Ａ変換器５のサンプリングレートＲ１でＦＢ信号をディジタル信号に変換する（ステップＳ１０１）。Ａ／Ｄ変換器１２は、ディジタル信号に変換されたＦＢ信号を歪補償部１３へ出力する。
【００７４】
歪補償部１３は、Ｄ／Ａ変換器５のサンプリングレートＲ１でＦＢ信号をサンプリングし、サンプリングされたＦＢ信号に歪補償係数を乗算することによって、ＦＢ系ＰＤ信号を生成する（ステップＳ１０２）。歪補償部１３は、生成したＦＢ系ＰＤ信号を減算器１４へ出力する。
【００７５】
減算器１４は、サンプリングレート変換部４から入力されるＰＤ信号と、歪補償部１３から入力されるＦＢ系ＰＤ信号との差分を示す誤差信号を生成する。減算器１４は、生成した誤差信号を係数生成部１５へ出力する。係数生成部１５は、減算器１４から入力される誤差信号に基づいて歪補償係数を生成する（ステップＳ１０３）。係数生成部１５は、歪補償係数を歪補償部２、歪補償部１３および歪補償部１６へ出力する。
【００７６】
歪補償部１６は、Ｄ／Ａ変換器５のサンプリングレートＲ１よりも高いサンプリングレートＲ２で、歪補償係数を用いて、送信信号生成部１から入力される送信信号から、ＰＤ信号を生成する（ステップＳ１０４）。具体的には、歪補償部１６は、Ｄ／Ａ変換器５のサンプリングレートＲ１よりも高いサンプリングレートＲ２で、送信信号生成部１から入力される送信信号をリサンプリングする。そして、歪補償部１６は、リサンプリングされた送信信号に歪補償係数を乗算することによって、ＰＤ信号を生成する。歪補償部１６は、生成したＰＤ信号をＨＰＦ１７へ出力する。
【００７７】
ＨＰＦ１７は、歪補償部１６から入力されるＰＤ信号から、Ｄ／Ａ変換器５のサンプリングレートＲ１に応じた周波数帯域ＢＦ１を超える周波数成分を抽出することにより、周波数成分信号を生成する（ステップＳ１０５）。ＨＰＦ１７は、生成した周波数成分信号を加算器１８へ出力する。
【００７８】
加算器１８は、送信信号生成部１から入力される送信信号と、ＨＰＦ１７から入力される周波数成分信号の逆位相を表す逆位相信号とを合成して入力信号として生成する（ステップＳ１０６）。加算器１８は、生成した入力信号を歪補償部２へ出力する。
【００７９】
歪補償部２は、Ｄ／Ａ変換器５のサンプリングレートＲ１よりも高いサンプリングレートＲ２で、歪補償係数を用いて、加算器１８から入力される入力信号からＰＤ信号を生成する（ステップＳ１０７）。具体的には、歪補償部２は、Ｄ／Ａ変換器５のサンプリングレートＲ１よりも高いサンプリングレートＲ２で、加算器１８から入力される入力信号をサンプリングする。そして、歪補償部２は、サンプリングされた入力信号に歪補償係数を乗算することによって、ＰＤ信号を生成する。歪補償部２は、生成したＰＤ信号をＬＰＦ３へ出力する。
【００８０】
ＬＰＦ３は、歪補償部２から入力されるＰＤ信号から、Ｄ／Ａ変換器５のサンプリングレートＲ１に応じた周波数帯域ＢＦ１を超える周波数成分を除去する（ステップＳ１０８）。ＬＰＦ３は、周波数成分が除去されたＰＤ信号をサンプリングレート変換部４へ出力する。
【００８１】
サンプリングレート変換部４は、ＬＰＦ３から入力されるＰＤ信号のサンプリングレートを、歪補償部２のサンプリングレートＲ２からＤ／Ａ変換器５のサンプリングレートＲ１へ変換する（ステップＳ１０９）。サンプリングレート変換部４は、サンプリングレートが変換されたＰＤ信号をＤ／Ａ変換器５および減算器１４へ出力する。
【００８２】
Ｄ／Ａ変換器５は、サンプリングレート変換部４から入力されるＰＤ信号をサンプリングレートＲ１でアナログ信号に変換する（ステップＳ１１０）。Ｄ／Ａ変換器５は、アナログ信号に変換されたＰＤ信号を出力する。
【００８３】
ＰＤ信号は、ＱＭＯＤ６および発振器７によりアップコンバートされて電力増幅器８へ入力される。電力増幅器８は、入力されるＰＤ信号を増幅し、出力信号を生成する（ステップＳ１１１）。
【００８４】
電力増幅器８は、生成した出力信号を、ＢＰＦ８ａおよびアンテナ９を介して外部装置に向けて送信する（ステップＳ１１２）。
【００８５】
以上の説明により、実施例１に係る送信機３１では、送信信号生成部１は、送信信号を生成して歪補償装置４１に出力し、送信部（ＢＰＦ８ａ、アンテナ９）は、歪補償装置４１の出力を出力信号として送信する。
【００８６】
歪補償装置４１において、第１歪補償部（歪補償部１６）は、第２サンプリングレート（サンプリングレートＲ２）で、歪補償係数を用いて、送信信号にプリディストーション（ＰＤ）処理を施して第１ＰＤ信号を生成する。サンプリングレートＲ２は、送信信号をアナログ信号に変換するための第１サンプリングレート（サンプリングレートＲ１）よりも高い。歪補償係数は、増幅器（電力増幅器８）からのフィードバック（ＦＢ）信号に基づいて生成される。抽出部（ＨＰＦ１７）は、第１ＰＤ信号から、サンプリングレートＲ１に応じた周波数帯域ＢＦ１を超える周波数成分を抽出して周波数成分信号を生成する。入力信号出力部（加算器１８）は、送信信号と周波数成分信号の逆位相信号とを合成し、入力信号として、後段の第２歪補償部（歪補償部２）に出力する。歪補償部２は、歪補償係数を用いて、入力信号にＰＤ処理を施して第２ＰＤ信号を生成する。除去部（ＬＰＦ３）は、第２ＰＤ信号から、サンプリングレートＲ１に応じた周波数帯域ＢＦ１を超える周波数成分を除去する。第１レート変換部（サンプリングレート変換部４）は、周波数成分が除去された第２ＰＤ信号のサンプリングレートをサンプリングレートＲ２からサンプリングレートＲ１へ変換する。第１信号変換部（Ｄ／Ａ変換器５）は、サンプリングレートが変換された第２ＰＤ信号をサンプリングレートＲ１でアナログ信号に変換する。電力増幅器８は、アナログ信号に変換されたＰＤ信号を増幅する。第２信号変換部（Ａ／Ｄ変換器１２）は、サンプリングレートＲ１で電力増幅器８からの出力信号をディジタル信号に変換する。誤差信号生成部（減算器１４）は、ディジタル信号に変換された出力信号と、サンプリングレートがサンプリングレートＲ１に変換された第２ＰＤ信号との差分を示す誤差信号を生成する。誤差信号に基づいて歪補償係数を生成する。
【００８７】
このように、実施例１に係る送信機３１では、Ｄ／Ａ変換器５のサンプリングレートＲ１よりも高いサンプリングレートＲ２でＰＤ信号を生成する。実施例１に係る送信機３１では、生成したＰＤ信号から、サンプリングレートＲ１に応じた周波数帯域ＢＦ１を超える周波数成分を除去し、周波数成分が除去されたＰＤ信号のサンプリングレートをサンプリングレートＲ１に変換する。そして、実施例１に係る送信機３１では、Ｄ／Ａ変換器５においてＰＤ信号をサンプリングレートＲ１でアナログ信号に変換し、変換されたＰＤ信号を電力増幅器８へ出力する。これにより、実施例１に係る送信機３１では、Ｄ／Ａ変換器５のサンプリングレートＲ１が比較的に低い場合でも、電力増幅器８から出力される出力信号に折り返り歪が発生することを回避することができる。結果として、Ｄ／Ａ変換器５のサンプリングレートＲ１が比較的に低い場合でも、歪補償性能の劣化を抑えることができる。
【００８８】
また、実施例１に係る送信機３１では、オーバーサンプリング後の歪補償部２の前段で、電力増幅器８からのＦＢ信号に基づく歪補償係数を用いて、歪補償部１６で送信信号からＰＤ信号を生成する。そして、実施例１に係る送信機３１では、ＨＰＦ１７により、ＰＤ信号から、サンプリングレートＲ１に応じた周波数帯域ＢＦ１を超える周波数成分を抽出して周波数成分信号を生成する。そして、実施例１に係る送信機３１では、加算器１８により送信信号と周波数成分信号の逆位相信号とを合成し、入力信号として歪補償部２に出力する。このように、実施例１に係る送信機３１では、オーバーサンプリング後の歪補償部２の前段で電力増幅器８の非線形歪の逆特性を求めているため、参考例１のような残留歪が電力増幅器８の出力信号に発生することを回避することができる。結果として、折り返り歪以外の歪の影響による歪補償性能の劣化を抑えることができる。
【００８９】
ここで、参考例１における送信機６００では、残差信号（残留歪に相当する信号）を生成するために複数の演算処理を実施している。例えば、歪付与部６０５、減算器６０６および歪付与係数生成部６０７により、電力増幅器１０８の非線形歪の歪特性を模擬する歪特性（レプリカ）を生成するための演算処理（第１の演算処理）が行なわれる。また、歪付与部６０１により、ＰＤ信号に、電力増幅器１０８の非線形歪の歪特性を模擬する歪特性（レプリカ）を付与して、歪特性信号を生成するための演算処理（第２の演算処理）が行なわれる。また、ＬＰＦ６０２および減算器６０３により、歪特性信号と送信信号との差分を示す残差信号を生成するための演算処理（第３の演算処理）が行なわれる。一方、実施例１に係る送信機３１では、オーバーサンプリング後の歪補償部２の前段で電力増幅器８の非線形歪の逆特性を求めることにより、参考例１のような複数の演算処理（第１〜第３の演算処理）を実施しなくてもよい。このため、実施例１に係る送信機３１では、参考例１における送信機６００に比べて、演算処理量の増大を抑制することができる。
【００９０】
また、実施例１に係る送信機３１では、参考例１のような複数の演算処理（第１〜第３の演算処理）を実施しないため、参考例１における送信機６００に比べて、歪補償性能が向上する。例えば、参考例１において、第１の演算処理は、歪付与部６０５、減算器６０６および歪付与係数生成部６０７により行われる。また、第３の演算処理は、ＬＰＦ６０２および減算器６０３により行われる。これらの演算処理においては、減算器６０６および減算器６０３によりそれぞれ差分が取られるため、演算結果にずれが発生する可能性がある。一方、実施例１に係る送信機３１では、参考例１のような複数の演算処理を実施しないため、演算結果にずれが発生することはない。図１１は、実施例１における電力増幅器８および参考例１における電力増幅器１０８から出力される出力信号の波形の一例を示す図である。図１１に示すように、実施例１における電力増幅器８の出力信号に現れる歪成分Ｒ９１、Ｒ９２は、参考例１における電力増幅器１０８の出力信号に現れる歪成分Ｒ８１、Ｒ８２よりも抑制される。
【００９１】
したがって、実施例１に係る送信機３１によれば、演算処理量の増大を抑制し、歪補償性能の劣化を抑えることができる。
【００９２】
ここで、実施例２に係る送信機について説明する前に、参考例２における送信機について説明する。
【００９３】
［参考例２］
図１５は、参考例２における送信機の構成（ダイレクトラーニング構成）の一例を示す図である。図１５において、図１４と同じ部分には同じ符号を付し、その説明を省略する。
【００９４】
参考例２における送信機１００は、図１４に示したＡ／Ｄ変換器５１２、歪補償部５１３、減算器５１４、係数生成部５１５に代えて、Ａ／Ｄ変換器１１２、歪補償部１１３、減算器１１４および係数生成部１１５を有する。また、参考例２における送信機１００には、図１４に示した歪付与部６０１、ＬＰＦ６０２、減算器６０３、減算器６０４、歪付与部６０５、減算器６０６および歪付与係数生成部６０７が設けられていない。
【００９５】
Ａ／Ｄ変換器１１２は、ベースバンド信号の周波数にダウンコンバートされたＦＢ信号の入力をＱＤＥＭ１１０から受け付ける。Ａ／Ｄ変換器１１２は、歪補償部１０２と同一のサンプリングレート、すなわち、サンプリングレートＲ２でＦＢ信号をディジタル信号に変換し、ディジタル信号に変換されたＦＢ信号を歪補償部１１３へ出力する。
【００９６】
歪補償部１１３は、歪補償部１０２と同様に、Ｄ／Ａ変換器１０５のサンプリングレートＲ１よりも高いサンプリングレートＲ２でＦＢ信号にＰＤ処理を施す。詳細には、歪補償部１１３は、ディジタル信号に変換されたＦＢ信号の入力をＡ／Ｄ変換器１１２から受け付ける。歪補償部１１３は、歪補償係数の入力を係数生成部１１５から受け付ける。そして、歪補償部１１３は、サンプリングレートＲ２でＦＢ信号をサンプリングし、サンプリングされたＦＢ信号に歪補償係数を乗算することによって、ＰＤ処理が施されたＦＢ系ＦＢ信号を生成する。歪補償部１１３は、生成したＦＢ系ＰＤ信号を減算器１１４へ出力する。
【００９７】
減算器１１４は、ＰＤ信号の入力を歪補償部１０２から受け付ける。減算器１１４は、ＦＢ系ＰＤ信号の入力を歪補償部１１３から受け付ける。そして、減算器１１４は、ＰＤ信号とＦＢ系ＰＤ信号との差分を示す誤差信号を生成する。そして、減算器１１４は、生成した誤差信号を係数生成部１１５へ出力する。
【００９８】
係数生成部１１５は、誤差信号の入力を減算器１１４から受け付ける。係数生成部１１５は、誤差信号に基づいて歪補償係数を生成する。例えば、係数生成部１１５は、ＬＭＳアルゴリズム等を用いた適応信号処理によって誤差信号が最小となるように、歪補償係数を求める。そして、係数生成部１１５は、求めた歪補償係数を歪補償部１０２および歪補償部１１３へ出力する。これにより、歪補償部１０２および歪補償部１１３によって用いられる歪補償係数が更新される。
【００９９】
なお、図１５において、参考例２における送信機１００には、図１４に示した歪付与部６０１、ＬＰＦ６０２、減算器６０３、減算器６０４、歪付与部６０５、減算器６０６および歪付与係数生成部６０７が設けられていない。このため、参考例２における送信機１００では、折り返り歪以外の歪（残留歪）の抑制については考慮されていない。
【実施例２】
【０１００】
図１２は、実施例２に係る送信機３２の構成（ダイレクトラーニング構成）の一例を示すブロック図である。図１２において、図１と同じ部分には同じ符号を付し、その説明を省略する。
【０１０１】
実施例２に係る送信機３２は、図１に示した歪補償装置４１に代えて、歪補償装置４２を有する。
【０１０２】
歪補償装置４２は、歪補償部１３、減算器１４、係数生成部１５に代えて、減算器２４、係数生成部２５およびサンプリングレート変換部２０を有する。
【０１０３】
サンプリングレート変換部２０は、入力信号を加算器１８から受け付ける。サンプリングレート変換部２０は、入力信号のサンプリングレートを、歪補償部２のサンプリングレートＲ２からＤ／Ａ変換器５のサンプリングレートＲ１へ変換する。詳細には、サンプリングレート変換部２０は、ＰＤ信号を間引くことで入力信号のサンプリングレートを歪補償部２のサンプリングレートＲ２からＤ／Ａ変換器５のサンプリングレートＲ１へ変換する。なお、入力信号を間引くことには、入力信号に対して補間処理を施し、補間処理が施された入力信号を間引くことも含まれる。そして、サンプリングレート変換部２０は、サンプリングレートが変換された入力信号を減算器２４へ出力する。ここで、サンプリングレート変換部２０は、「第２レート変換部」の一例である。
【０１０４】
減算器２４は、サンプリングレートがＤ／Ａ変換器５のサンプリングレートＲ１へ変換された入力信号の入力をサンプリングレート変換部２０から受け付ける。減算器２４は、Ｄ／Ａ変換器５のサンプリングレートＲ１でディジタル信号に変換されたＦＢ信号の入力をＡ／Ｄ変換器１２から受け付ける。そして、減算器２４は、入力信号とＦＢ信号との差分を示す誤差信号を生成する。減算器２４は、生成した誤差信号を係数生成部２５へ出力する。ここで、減算器２４は、「誤差信号生成部」の一例である。
【０１０５】
係数生成部２５は、誤差信号の入力を減算器２４から受け付ける。係数生成部２５は、誤差信号に基づいて歪補償係数を生成する。例えば、係数生成部２５は、ＬＭＳアルゴリズム等を用いた適応信号処理によって誤差信号が最小となるように、歪補償係数を求める。そして、係数生成部２５は、求めた歪補償係数を歪補償部２および歪補償部１６へ出力する。これにより、歪補償部２および歪補償部１６によって用いられる歪補償係数が更新される。
【０１０６】
次に、図１３を参照して、実施例２に係る送信機３２による信号送信における処理について説明する。図１３は、実施例２に係る送信機３２の動作の一例を示すフローチャートである。
【０１０７】
Ａ／Ｄ変換器１２は、Ｄ／Ａ変換器５のサンプリングレートＲ１でＦＢ信号をディジタル信号に変換する（ステップＳ２０１）。Ａ／Ｄ変換器１２は、ディジタル信号に変換されたＦＢ信号を減算器２４へ出力する。
【０１０８】
歪補償部１６は、Ｄ／Ａ変換器５のサンプリングレートＲ１よりも高いサンプリングレートＲ２で、歪補償係数を用いて、送信信号生成部１から入力される送信信号から、ＰＤ信号を生成する（ステップＳ２０２）。具体的には、歪補償部１６は、Ｄ／Ａ変換器５のサンプリングレートＲ１よりも高いサンプリングレートＲ２で、送信信号生成部１から入力される送信信号をリサンプリングする。そして、歪補償部１６は、リサンプリングされた送信信号に歪補償係数を乗算することによって、ＰＤ信号を生成する。歪補償部１６は、生成したＰＤ信号をＨＰＦ１７へ出力する。
【０１０９】
ＨＰＦ１７は、歪補償部１６から入力されるＰＤ信号から、Ｄ／Ａ変換器５のサンプリングレートＲ１に応じた周波数帯域ＢＦ１を超える周波数成分を抽出することにより、周波数成分信号を生成する（ステップＳ２０３）。ＨＰＦ１７は、生成した周波数成分信号を加算器１８へ出力する。
【０１１０】
加算器１８は、送信信号生成部１から入力される送信信号と、ＨＰＦ１７から入力される周波数成分信号の逆位相を表す逆位相信号とを合成して入力信号として生成する（ステップＳ２０４）。加算器１８は、生成した入力信号を歪補償部２およびサンプリングレート変換部２０へ出力する。
【０１１１】
サンプリングレート変換部２０は、加算器１８から入力される入力信号のサンプリングレートを、歪補償部２のサンプリングレートＲ２からＤ／Ａ変換器５のサンプリングレートＲ１へ変換する。サンプリングレート変換部２０は、サンプリングレートが変換されたＰＤ信号を減算器２４へ出力する。減算器２４は、サンプリングレート変換部２０から入力される入力信号と、Ａ／Ｄ変換器１２から入力されるＦＢ信号との差分を示す誤差信号を生成する。減算器２４は、生成した誤差信号を係数生成部２５へ出力する。係数生成部２５は、減算器２４から入力される誤差信号に基づいて歪補償係数を生成する（ステップＳ２０５）。係数生成部２５は、歪補償係数を歪補償部２および歪補償部１６へ出力する。
【０１１２】
歪補償部２は、Ｄ／Ａ変換器５のサンプリングレートＲ１よりも高いサンプリングレートＲ２で、歪補償係数を用いて、加算器１８から入力される入力信号からＰＤ信号を生成する（ステップＳ２０６）。具体的には、歪補償部２は、Ｄ／Ａ変換器５のサンプリングレートＲ１よりも高いサンプリングレートＲ２で、加算器１８から入力される入力信号をサンプリングする。そして、歪補償部２は、サンプリングされた入力信号に歪補償係数を乗算することによって、ＰＤ信号を生成する。歪補償部２は、生成したＰＤ信号をＬＰＦ３へ出力する。
【０１１３】
ＬＰＦ３は、歪補償部２から入力されるＰＤ信号から、Ｄ／Ａ変換器５のサンプリングレートＲ１に応じた周波数帯域ＢＦ１を超える周波数成分を除去する（ステップＳ２０７）。ＬＰＦ３は、周波数成分が除去されたＰＤ信号をサンプリングレート変換部４へ出力する。
【０１１４】
サンプリングレート変換部４は、ＬＰＦ３から入力されるＰＤ信号のサンプリングレートを、歪補償部２のサンプリングレートＲ２からＤ／Ａ変換器５のサンプリングレートＲ１へ変換する（ステップＳ２０８）。サンプリングレート変換部４は、サンプリングレートが変換されたＰＤ信号をＤ／Ａ変換器５および減算器１４へ出力する。
【０１１５】
Ｄ／Ａ変換器５は、サンプリングレート変換部４から入力されるＰＤ信号をサンプリングレートＲ１でアナログ信号に変換する（ステップＳ２０９）。Ｄ／Ａ変換器５は、アナログ信号に変換されたＰＤ信号を出力する。
【０１１６】
ＰＤ信号は、ＱＭＯＤ６および発振器７によりアップコンバートされて電力増幅器８へ入力される。電力増幅器８は、入力されるＰＤ信号を増幅し、出力信号を生成する（ステップＳ２１０）。
【０１１７】
電力増幅器８は、生成した出力信号を、ＢＰＦ８ａおよびアンテナ９を介して外部装置に向けて送信する（ステップＳ２１１）。
【０１１８】
以上の説明により、実施例２に係る送信機３２では、送信信号生成部１は、送信信号を生成して歪補償装置４２に出力し、送信部（ＢＰＦ８ａ、アンテナ９）は、歪補償装置４２の出力を出力信号として送信する。
【０１１９】
歪補償装置４２において、第１歪補償部（歪補償部１６）は、第２サンプリングレート（サンプリングレートＲ２）で、歪補償係数を用いて、送信信号にプリディストーション（ＰＤ）処理を施して第１ＰＤ信号を生成する。サンプリングレートＲ２は、送信信号をアナログ信号に変換するための第１サンプリングレート（サンプリングレートＲ１）よりも高い。歪補償係数は、増幅器（電力増幅器８）からのフィードバック（ＦＢ）信号に基づいて生成される。抽出部（ＨＰＦ１７）は、第１ＰＤ信号から、サンプリングレートＲ１に応じた周波数帯域ＢＦ１を超える周波数成分を抽出して周波数成分信号を生成する。入力信号出力部（加算器１８）は、送信信号と周波数成分信号の逆位相信号とを合成し、入力信号として、後段の第２歪補償部（歪補償部２）に出力する。歪補償部２は、歪補償係数を用いて、入力信号にＰＤ処理を施して第２ＰＤ信号を生成する。除去部（ＬＰＦ３）は、第２ＰＤ信号から、サンプリングレートＲ１に応じた周波数帯域ＢＦ１を超える周波数成分を除去する。第１レート変換部（サンプリングレート変換部４）は、周波数成分が除去された第２ＰＤ信号のサンプリングレートをサンプリングレートＲ２からサンプリングレートＲ１へ変換する。第１信号変換部（Ｄ／Ａ変換器５）は、サンプリングレートが変換された第２ＰＤ信号をサンプリングレートＲ１でアナログ信号に変換する。電力増幅器８は、アナログ信号に変換されたＰＤ信号を増幅する。第２信号変換部（Ａ／Ｄ変換器１２）は、サンプリングレートＲ１で電力増幅器からの出力信号をディジタル信号に変換する。第２レート変換部（サンプリングレート変換部２０）は、入力信号のサンプリングレートをサンプリングレートＲ２からサンプリングレートＲ１へ変換する。誤差信号生成部（減算器２４）は、ディジタル信号に変換された出力信号と、サンプリングレートがサンプリングレートＲ１に変換された入力信号との差分を示す誤差信号を生成する。係数生成部２５は、誤差信号に基づいて歪補償係数を生成する。
【０１２０】
このように、実施例２に係る送信機３２では、Ｄ／Ａ変換器５のサンプリングレートＲ１よりも高いサンプリングレートＲ２でＰＤ信号を生成する。実施例２に係る送信機３２では、生成したＰＤ信号から、サンプリングレートＲ１に応じた周波数帯域ＢＦ１を超える周波数成分を除去し、周波数成分が除去されたＰＤ信号のサンプリングレートをサンプリングレートＲ１に変換する。そして、実施例２に係る送信機３２では、Ｄ／Ａ変換器５においてＰＤ信号をサンプリングレートＲ１でアナログ信号に変換し、変換されたＰＤ信号を電力増幅器８へ出力する。これにより、実施例２に係る送信機３２では、Ｄ／Ａ変換器５のサンプリングレートＲ１が比較的に低い場合でも、電力増幅器８から出力される出力信号に折り返り歪が発生することを回避することができる。結果として、Ｄ／Ａ変換器５のサンプリングレートＲ１が比較的に低い場合でも、歪補償性能の劣化を抑えることができる。
【０１２１】
また、実施例２に係る送信機３２では、オーバーサンプリング後の歪補償部２の前段で、電力増幅器８からのＦＢ信号に基づく歪補償係数を用いて、歪補償部１６で送信信号からＰＤ信号を生成する。そして、実施例２に係る送信機３２では、ＨＰＦ１７により、ＰＤ信号から、サンプリングレートＲ１に応じた周波数帯域ＢＦ１を超える周波数成分を抽出して周波数成分信号を生成する。そして、実施例２に係る送信機３２では、加算器１８により送信信号と周波数成分信号の逆位相信号とを合成し、入力信号として歪補償部２に出力する。このように、実施例２に係る送信機３２では、オーバーサンプリング後の歪補償部２の前段で電力増幅器８の非線形歪の逆特性を求めているため、参考例１のような残留歪が電力増幅器８の出力信号に発生することを回避することができる。結果として、折り返り歪以外の歪の影響による歪補償性能の劣化を抑えることができる。
【０１２２】
したがって、実施例２に係る送信機３２においても、実施例１と同様の効果を得ることができる。
【符号の説明】
【０１２３】
１  送信信号生成部
２  歪補償部
３  ＬＰＦ
４  サンプリングレート変換部
５  Ｄ／Ａ変換器
６  ＱＭＯＤ
７  発振器
８  電力増幅器
８ａ  ＢＰＦ
９  アンテナ
１０  ＱＤＥＭ
１１  発振器
１２  Ａ／Ｄ変換器
１３  歪補償部
１４  減算器
１５  係数生成部
１６  歪補償部
１７  ＨＰＦ
１８  加算器
２０  サンプリングレート変換部
２４  減算器
２５  係数生成部
３１  送信機
３２  送信機
４１  歪補償装置
４２  歪補償装置
【図１】
2019029792.tif 000003
【図２】
2019029792.tif 000004
【図３】
2019029792.tif 000005
【図４】
2019029792.tif 000006
【図５】
2019029792.tif 000007
【図６】
2019029792.tif 000008
【図７】
2019029792.tif 000009
【図８】
2019029792.tif 000010
【図９】
2019029792.tif 000011
【図１０】
2019029792.tif 000012
【図１１】
2019029792.tif 000013
【図１２】
2019029792.tif 000014
【図１３】
2019029792.tif 000015
【図１４】
2019029792.tif 000016
【図１５】
2019029792.tif 000017